(57)【特許請求の範囲】
【請求項１】
構築物の防火区画中に避難路として使用できるように設けられた通路であって、
前記通路は、前記防火区画中に設けられた上下階を連絡するエスカレータであり、
前記エスカレータは、建物の外壁の内面に沿って設けられ、
前記エスカレータが前記内面に沿って設けられた前記外壁には、前記エスカレータから建物の外へ出ることが可能な防火扉が設けられていることを特徴とする通路。
【請求項２】
請求項１に記載の通路において、
前記防火区画は、防火部材により上下階を通す吹き抜け状に周囲空間から区画されていることを特徴とする通路。
【請求項３】
請求項１または２に記載の通路において、
前記通路が、踏段を有しないエスカレータに構成されてなることを特徴とする通路。
【発明の詳細な説明】
【０００１】
【発明の属する技術分野】
本発明は、平時には一般通行用に使用される通路を火災時などには避難路として使用できるようにする技術に関し、特に踏段のないエスカレーターなども避難路として使用できるようにしたものである。
【０００２】
【従来の技術】
大型店舗など人が多数を集まる建物では火災が発生すると、フロアの隅や端、または建物外に設けられた専用の避難階段を通って避難が行われる。
【０００３】
建築物内に設置される専用の避難階段は、例えば、デパートにおける売場フロアなどのような通常の使用空間とは耐火壁で区画されて、火災時でも安全に避難できるように構成された防火区画内に設けられている。
【０００４】
防火区画は、上記のように、通常の使用空間とは耐火壁で区画されているため、防火区画内の採光用に窓などの開口部が設けられ、さらに、防火扉を介して防火区画への出入りが行えるように構成されている。
【０００５】
【発明が解決しようとする課題】
しかし、従来の上記専用避難階段は、通常の使用空間とは離れた位置に設けられるのが一般的である。例えば、フロアの隅や端など、フロア周辺域に設けられるのが普通である。このように、通常の使用空間とは切り離された場所に専用避難階段が設けられているため、火災発生などの非常時には、咄嗟に専用避難階段の位置が分からず避難者が避難階段を探して逃げまどうこととなる。そこで、避難路には平時から通り慣れている通路を使用するのが好ましいと言われている。
【０００６】
また、デパートなどのようにフロア面積が大きく、フロア内に多数の小区画の売場が配置され、その間を縫うように構成された通路では、例え周辺域に避難階段があることが分かっていても、災害発生時には多数の人が狭い通路でひしめき合い、大きなフロアの端などの周辺域に設けた避難階段に速やかに到達できない場合も考えられる。
【０００７】
一方、従来より、デパートなどの上下階の連絡用には、エスカレーター（登録商標）が多用されているが、従来のエスカレーターでは踏段に段差ができるため、老人などでは利用しづらいという声が上がっていた。そこで、近年、かかる構成のエスカレーターに代わって、勾配の小さな踏段を有しないエスカレーターが設置されるようになってきた。
【０００８】
踏段を有しないエスカレーターは、車椅子の使用者や、老人、身体障害者、小児などのように、段差のある階段では利用しにくい者にとって昇降が楽に行える装置である。
【０００９】
なお、踏段を有しないエスカレーターとは、建設省告示第１１１０号で規定された用語で、その構造基準が定められており、踏板面に段差のない構造のエスカレータである。一般には、通称「動く歩道」（上記告示の技術基準解説で使用されている簡略用語）として知られ、上下階を連絡する傾斜部分に設置したり、あるいは平坦面に設置されたりしている。
【００１０】
本明細書でも、踏段を有しないエスカレータを、一般に使用されている語感を尊重して動く歩道と呼ぶ場合もある。
【００１１】
また、建物と建物とを連絡する長い通路にも、踏段を有しないエスカレーター、いわゆる動く歩道が設置されている場合がある。また、地下街と地下街とを連絡する地下道などの側方にも、動く歩道が設けられるようになってきた。
【００１２】
このように近年、踏段を有しないエスカレーター（動く歩道）が一般通路として使用されるようになってきたが、かかる踏段を有しないエスカレーターは、上記の如く車椅子の使用者や、老人、身体障害者、小児などのように、段差のある階段では利用しにくい者にとって楽に通行が行え一般通路として使用できる装置である。
【００１３】
かかる踏段を有しないエスカレーターを、火災時などに避難路として利用できるように構成しておくことは、上記車椅子の使用者などにとっては、特に速やかな避難を行うために必要なことと、本発明者は考えた。
【００１４】
一方、避難路として構成するに際しては、前記の観点から、非常時でもその位置が分かるように普段に通りなれる通路に構成しておくことが望ましい。また、建築物などの中央側に設置される可能性の多い通路を、避難路として選択することが好ましい。さらには、平常時に一般走行路として違和感無く使用できるように構成しておくことも重要である。
【００１５】
すなわち、日常動線と火災時などの避難経路とを極力一致させるようにすることが望ましい。
【００１６】
また、かかる避難路は、例えば、避難に支障を来す煙りが入り込まないように、且つ避難に支障を来す炎が入り込まないように、且つ避難に支障を来す有害ガスが入り込まないように、且つ避難に支障を来す有害ガスが内部発生しないように、且つ避難に必要な内部空気の確保ができるように、且つ避難に支障を来す内部温度の上昇が急速に起きないように、十分に周囲空間から区画されていることも必要である。
【００１７】
さらには、避難時には、周囲の火災状況を把握しながら、適切な避難行動がとれるようにしておくことも求められる。
【００１８】
本発明の目的は、通常使用している通路を、火災時などに避難路として使用できるようにすることにある。
【００１９】
本発明の他の目的は、踏段を有しないエスカレーターを、火災時などに避難路として使用できるようにすることにある。
【００２０】
本発明の前記ならびにその他の目的と新規な特徴は、本明細書の記述および添付図面から明らかになるであろう。
【００２１】
【課題を解決するための手段】
本願において開示される発明のうち、代表的なものの概要を簡単に説明すれば、以下のとおりである。
【００２２】
すなわち、構築物内の普段に使用している通路を防火区画中に設けることにより、火災時でもかかる通路を避難路として使用して逃げることができる。このようにして通り慣れた通路を逃げる場合は、普段使い慣れていない避難階段などを不安を覚えながら逃げる場合に比べて、落ち着いて逃げることができ、速やかな安全避難を行うことができる。
【００２３】
かかる構築物とは、常設、仮設いずれの構築物でも構わなく、また地上に設けた構築物でも、あるいは地下に設けた構築物でも、さらには水中に設けた構築物でも、宇宙空間に設けた構築物でも構わない。
【００２４】
さらに、かかる通路は、上記構築物以外にも、例えば大型船舶などのような乗物内に設けるようにしても構わない。
【００２５】
また、通路を囲む防火区画は、防火部材で周囲空間と区画することにより、防火区画の周囲に火災が発生しても、防火区画の内部が、少なくとも避難する間は、避難に支障を来す温度にならないように内部温度の急速な上昇が起きないように構成されている。また、少なくとも避難時には、避難に支障を来す煙りや、炎や、有毒ガスが入り込まないように構成されている。
【００２６】
特に、内部温度の維持に関しては、周囲火災の程度にもよるが、少なくとも人の避難が完了する時間内、例えば周囲温度が９００度の環境で、最低限３０分程度は人が安全に避難できる程度の温度に維持できるように構成しておけばよい。
【００２７】
かかる防火区画は、例えばデパートなどのように上下階の連絡通路をフロア中央側に集中させて設けたりする場合には、上下階を通す吹き抜け状に構成しておけばよい。
【００２８】
あるいは、かかる防火区画を、通路方向に沿って、その両側、上下側、前後側、すなわち全周囲を耐火材料、不燃材料、難燃材料などで構成された防火部材で囲むようにして形成しても構わない。
【００２９】
このように防火区画を構成しておくことにより、火災時でも、防火区画は火災が発生した周囲空間とは区画され、防火区画内に設けた通路を安全な避難路として使用することができる。
【００３０】
また、防火部材により周囲空間と区画するには、例えば、通路の周囲、すなわち両側面、前端面、上下面を、耐火材料、不燃材料、難燃材料からなる実質的に連続する面が床面に連接するようにして、この通路を囲繞するようにして防火区画を設けておけばよい。
【００３１】
また、かかる防火区画には、防火扉などの開閉部材を設けておき、周囲空間との行き来をこの開閉部材を介して行うようにすればよい。火災時でもこの開閉部材を開けて防火区画内に逃げ込むことができ、逃げ込んた後はこの開閉部材を閉めておけば、防火区画内への周囲の火災空間からの延焼が防止できる。
【００３２】
また、防火部材の少なくとも一部を、通路を囲む防火区画の周囲状況の見通しができる程度の透明性を有した遮熱性ガラスなどの防火部材とすることにより、防火区画外の周囲空間の状況を確認しながら、状況に合わせた避難方向の選択などができる。
【００３３】
さらに、防火部材として遮熱性ガラスを使用すると、合成樹脂素材を使用する場合に比べて、高温になっても有害ガスや引火性ガスの発生がなく、さらには、比較的に透明性が高いなどの点で好ましい。
【００３４】
特に、上記構成の防火区画に設ける通路としては、段差部での通行が困難な車椅子使用者や老人や身体障害者などでも容易に利用できる踏段を有しないエスカレータに構成しておけば、災害時の避難が遅れがちになり易い車椅子使用者などの速やかな避難手段の確保にもなる。
【００３５】
なお、かかる踏段を有しないエスカレーターには、従来構成の複数枚の踏板（パレットと呼ぶ）を互いに屈曲可能にベルト状に連接して回転させる構成のパレット型と、ゴムベルトなどの無端ベルトを回転させるベルト型のいずれの形式でも構わない。
【００３６】
【発明の実施の形態】
以下、本発明の実施の形態を図面に基づいて詳細に説明する。
【００３７】
（実施の形態１）
本実施の形態では、建物などの構築物に設ける防火区画１を上下階を通す吹き抜け状に構成し、この防火区画１内に踏段を有しないエスカレーター１０を各階連絡用に設けて、火災発生時には避難路として使用できるように構成した通路Ａについて説明する。
【００３８】
本実施の形態では、図１（ａ）に示すように、防火区画１は、建物の下階から上階まで各階を通す吹き抜け状に、いわゆる縦穴状に構成されている。防火区画１は、防火部材２により周囲空間３から区画され、この防火区画１内に、各階の上下階連絡用の踏段を有しないエスカレーター１０が設けられている。本実施の形態では、防火部材２として、遮熱性ガラス２ａが使用されている。
【００３９】
遮熱性ガラス２ａ（２）には、例えば、透明性の高いガラスａと、熱発泡性物質ｂとを交互に積層して構成されたガラスを使用すればよい。火災時にはこの熱発泡性物質ｂが発泡して熱を遮断することができる。本実施の形態では、図２にその積層構造を示すように、ケイ酸ソーダ（水ガラス）が熱発泡性物質ｂとして使用されている。ガラスとケイ酸ソーダとの積層数を多くすることにより、あるいは、図２（ｂ）に示すように、ケイ酸ソーダの層厚を厚くすることにより、遮熱性ガラス２ａの耐火時間を長くすることができる。
【００４０】
本実施の形態では、図１（ｂ）、図３に示すように、踏段を有しないエスカレータ１０の周囲を囲むように、所定間隔で各階のフロア面Ｂから天井面Ｃまで支柱４ａが立設されている。この支柱４ａ間には遮熱性ガラス２ａが設けられている。遮熱性ガラス２ａは、防火サッシュに固定された状態で、支柱４ａとフロア面Ｂ、天井面Ｃとから構成された枠内に嵌め込むようにして設けられている。
【００４１】
かかる枠内への嵌め込みに際しては目地部分をシールして、防火区画１と接する周囲空間３に火災が発生しても、周囲空間３から目地部分を通って避難に支障を来す煙りや炎や有害ガスなどが、防火区画１内に入り込まないようにされている。また、かかる目地部分からの煙りなどの入り込みを防止することにより、周囲の火災時の防火区画１内への温度伝播をも防ぐことができる。
【００４２】
このようにして、各階では、踏段を有しないエスカレーター１０の周囲が、フロア面Ｂから天井面Ｃまで設けた遮熱性ガラス２ａで周囲空間３と区画されている。一方、防火区画１の最上端側の構成も、図４（ａ）に示すように、各階部分の構成と同様に、フロア面Ｂと天井面Ｃとの間に遮熱性ガラス２ａを設ける構成としておけばよい。
【００４３】
あるいは、図４（ｂ）に示すように、最上端側を天井面Ｃより低い位置に設定して囲うように構成しても構わない。かかる構成では、所定間隔にフロアＢ面から立設した支柱４ａ間に梁４ｂを渡し、この支柱４ａ、梁４ｂ及びフロア面Ｂとで構成される枠内に遮熱ガラス２ａを前記要領で嵌め込むようにすればよい。
【００４４】
なお、吹き抜け状に形成した上記防火区画１の全体形状は、種々の形状に構成して構わない。例えば、角柱状でも、あるいは円柱状でも、あるいはその他の形状でも構わない。
【００４５】
一方、このようにして遮熱性ガラス２ａで区画された防火区画１には、図１（ｂ）、３、４に示すように、踏段を有しないエスカレーター１０の乗降口側の遮熱性ガラス２ａ側に、開閉部材５として防火扉５ａが設けられている。
【００４６】
本実施の形態では、防火扉５ａ（５）は、防火枠に遮熱性ガラス２ａを嵌め込んだ開き戸形式に構成され、防火区画１内と周囲空間３とが互いに見通せるようになっている。
【００４７】
また、本実施の形態では、防火扉５ａは、自動扉に形成され、周囲空間３から踏段を有しないエスカレーター１０を囲む防火区画１内に、一々手を煩わせることなく出入りできるようになっている。
【００４８】
また、本実施の形態の防火扉５ａは、平常時には踏段を有しないエスカレーター１０への通行が円滑に行えるように、自動開閉制御を解除させておけるようにしておいても構わない。このように自動開閉制御を解除しておくことにより、平常時には防火扉５ａを開けたままの開放状態にしておける。一々防火扉５ａを手で押すなどして開閉させて通る煩わしさがないので、例えば、多数の利用者が想定されるデパートなどの場合には、不必要な客足の滞りを防いで、踏段を有しないエスカレーター１０部分での混雑を防ぐことができる。
【００４９】
また、上記のように構成することにより、平常時に通行量の多い通路Ａとして構成しておけるので、避難時には通行し慣れているかかる構成の通路Ａを避難路として使用できることとなり、何処に通ずるか分からない避難路を使用する場合に比べて、避難者も安心して避難することができる。
【００５０】
なお、防火扉５ａの自動開閉制御を解除させた後でも、隣接した周囲空間３で火災が発生した場合には、火炎や煙りが防火区画１内に入らないように、自動的に、あるいは手動で、自動開閉制御に切り換えられるようにしておけばよい。
【００５１】
自動で切り換えるようにするためには、隣接空間に設けた火災検知センサーと防火扉５ａなどを連動させておき、火災発生信号で自動開閉制御に切り替わり一旦閉じるように構成しておけばよい。
【００５２】
さらに、自動開閉制御に移行した状態でも、防災センターからの監視モニタで、防火扉５ａなどのロックが行えるようにしておけばよい。このようにすることにより、防火扉５ａの周囲空間３に火災が迫った状態でも、誤作動により防火扉５ａを開かないようにすることができる。
【００５３】
また、本実施の形態の防火扉５ａは、開き戸形式に構成したが、左右に両開きする引き戸形式に構成しても構わない。さらには、シャッター形式に構成しておくこともできる。
【００５４】
また、本実施の形態で使用する踏段を有しないエスカレーター１０は、図５（ａ）に示すように、パレット型の構造に形成されている。パレットと呼ばれる踏板１１が、多数枚互いに屈曲可能に連接されて平坦な通行面１２を構成できるようになっている。
【００５５】
また、多数枚の踏板１１が連接して形成される通行面１２の両側には、図６に示すように、踏板１１の搬送速度と同じ速度で回転する小幅の回転ベルト状に構成された手摺１３が設けられている。さらに、通行面１２の前後側は、ランデイングプレート１４を介して、フロア面Ｂに繋がるようになっている。
【００５６】
また、通行面１２を形成する踏板１１は、裏側のチェーン１５により搬送され、駆動機１６に連結された両端の鎖車１７で回転できるようになっている。
【００５７】
なお、踏段を有しないエスカレーター１０には、ベルト型の構成もある。ベルト型の踏段を有しないエスカレーター１０は、図５（ｂ）に示すように、無端ベルト１８ａが駆動機１８ｂに連結された両端の回転ローラー１８ｃで搬送方向に回転されるように構成されている。通行面１２を形成する無端ベルト１８ａの裏側は、所定間隔に並べられた多数のローラー１８ｄで支承され、通行時の無端ベルト１８ａの沈みを極力防止できるように形成されている。
【００５８】
本実施の形態では、パレット型の踏段を有しないエスカレーター１０を使用したが、ベルト型の踏段を有しないエスカレーター１０を使用しても構わない。
【００５９】
（実施の形態２）
本実施の形態では、踏段を有しないエスカレーター１０を平坦面上に設けて動く歩道Ｄを構成し、火災発生時に避難路として使用できるよう構成した通路Ａについて説明する。
【００６０】
本実施の形態で使用する踏段を有しないエスカレーター１０は、図７（ａ）、（ｂ）に示すように、上記実施の形態１で使用したパレット型の構成で、平坦な床面Ｂ’上に設置されている。
【００６１】
本実施の形態では、多数枚のパレットと呼ばれる踏板１１により構成される通行面１２は、図７（ｂ）に示すように、床面Ｂ’より少し高い位置に設けられており、床面Ｂ’と通行面１２とは傾斜板１１ａで連絡されて、床面Ｂ’と通行面１２との間の乗降が楽に行えるようになっている。
【００６２】
また、通行面１２の両側には、前記実施の形態１と同様に、踏板１１と同じ方向に、同じ速度で回転するベルト状に構成された手摺１３が設けられている。手摺１３に掴まりながら、踏段を有しないエスカレーター１０上を移動できるようになっている。
【００６３】
踏段を有しないエスカレーター１０は、周囲空間から区画された防火区画２０内に設けられている。防火区画２０は、防火部材３０により周囲空間から区画されている。踏段を有しないエスカレーター１０の両側には、走行方向に沿って所定間隔で支柱４０が床面Ｂ’から立設させられ、この支柱４０の上端間に梁４１が掛け渡されている。
【００６４】
支柱４０、梁４１、および床面Ｂ’とで構成された枠部分には、前記実施の形態１と同様にして、防火部材３０として遮熱性ガラス３０ａが嵌め込まれている。このようにして、踏段を有しないエスカレーター１０は、その両側、前後側、上面が遮熱性ガラス３０ａで周囲空間と区画された防火区画２０に囲まれている。なお、床面Ｂ’側も防火部材３０で構成しておけばよい。
【００６５】
防火区画２０と周囲空間との行き来は、開閉部材５０としての防火扉５０ａを通して行うようになっている。防火扉５０ａは、前記実施の形態１と同様に、平常時には開放状態にしておき、火災時などの災害発生時には自動開閉式に切り換えられるように構成しておけばよい。
【００６６】
また、踏板１１の搬送速度がそれ程速くない場合には、図８（ａ）に示すように、通行面１２の両側に手摺１３を設けない構成も考えられる。防火区画２０を構成する遮熱性ガラス３０ａは、通行面１２の両側に接近して設けられ、遮熱性ガラス３０ａを手摺代わりに使用できるようになっている。通行面１２の側方から少し手を伸ばして軽く遮熱性ガラス３０ａのガラス面に触れながら、ガラス面を手摺１３の代わりに使用することができる。
【００６７】
かかる構成の場合には、支柱４０は、図８（ａ）に示すように、遮熱性ガラス３０ａの外部側に設けるようにすればよい。防火区画２０の内側に支柱４０を設けないようにすることにより、遮熱性ガラス３０ａを手摺として使用したときに、手が支柱４０に引っ掛かるなどの不都合が避けられる。
【００６８】
さらに、防火区画２０内側に向く遮熱性ガラス３０ａの表面側は、微細な凹凸状仕上げにしておき、手を触れても平滑面のように密着しずらくしておくとよい。このようにすることにより、踏段を有しないエスカレーター１０を通行中に手が遮熱性ガラス３０ａ面に取られて転倒するなどの不都合が起きにくいようにすることができる。
【００６９】
なお、図８（ｂ）に示す踏段を有しないエスカレーター１０の通行面１２は、床面Ｂ’と面一になるようになっている。
【００７０】
また、本実施の形態では、パレット型の踏段を有しないエスカレーター１０を使用したが、ベルト型の構成のものを使用しても構わない。
【００７１】
（実施の形態３）
本実施の形態では、ビルなどの構築物の上下階を連絡する踏段を有しないエスカレーター１０の周囲を、前記実施の形態１とは異なり、踏段を有しないエスカレーター１０の搬送方向に沿って防火区画２０を形成し、火災発生時に避難路として使用できるように構成した通路Ａについて説明する。
【００７２】
本実施の形態の通路Ａに使用する踏段を有しないエスカレーター１０は、図９に示すように、防火区画２０内に設けられている。踏段を有しないエスカレーター１０は、前記実施の形態１と同様に、互いに屈曲可能に連接して平面状の通行面１２を形成するパレット型に構成されている。
【００７３】
踏段を有しないエスカレーター１０の取付けに際しては、踏段を有しないエスカレーター１０の通行面１２の前後の乗降口側が、乗降時に躓いたりしないように、それぞれ上階、下階のフロア面Ｂと略面一になるようにされている。
【００７４】
また、踏段を有しないエスカレーター１０の通行面１２の両側面側には、通行面１２と同じ速度で回転する小幅無端ベルトが回転可能に構成された手摺１３が設けられている。このようにして、手摺１３に掴まりながら、踏段などの段差のない通行面１２に乗って昇降できるように、上下階が踏段を有しないエスカレーター１０により連絡されている。
【００７５】
一方、防火区画２０は、踏段を有しないエスカレーター１０の両側、上下側、および踏段を有しないエスカレーター１０の進行方向に沿った前後側を、防火部材３０により周囲空間から区画して構成されている。
【００７６】
本実施の形態では、踏段を有しないエスカレーター１０の下面側には防火部材３０として、コンクリート板３０ｂが使用されている。コンクリート板３０ｂ（３０）は、踏段を有しないエスカレーター１０の幅より少し幅広に設定され、踏段を有しないエスカレーター１０の下面側をカバーできるようになっている。
【００７７】
さらに、このコンクリート板３０ｂの両側方からは、支柱４０が所定間隔で立設させられている。支柱４０は、踏段を有しないエスカレーター１０の乗降側となる前後側の各階のフロアＢ面側からも立設させられている。
【００７８】
また、所定間隔に立設させられた支柱４０間は、さらに梁４１で連結され、踏段を有しないエスカレーター１０の上方空間が支柱４０と梁４１とで構成された枠組で囲まれるようになっている。このようにして支柱４０と梁４１とで構成された枠内に、防火部材３０が嵌め込むようにして設けられている。
【００７９】
本実施の形態では、かかる防火部材３０には、前記実施の形態１で使用したと同様の構成の遮熱性ガラス３０ａが使用されている。遮熱性ガラス３０ａ（３０）の取付けに際しては、前記実施の形態１と同様の要領で、遮熱性ガラス３０ａを防火サッシュに固定した状態で、支柱４０、梁４１とで構成された枠内に嵌め込むようにされている。
【００８０】
あるいは、例えば、コンクリート板３０ｂの面上に通行面１２の側方に沿って溝を設け、さらに支柱４０、梁４１の側方部の長手方向にも溝を設けておき、遮熱性ガラス３０ａの周囲をこれらの溝に嵌め込み、煙りや、炎、有害ガスなどが防火区画２０内に入り込まないように目地部分のシールを行っても構わない。
【００８１】
かかる目地部分のシールは、コンクリート板３０ｂ、支柱４０、梁４１との目地部分以外にも、周囲空間と接する防火区画２０の接合部などの煙りなどが入り込む可能性のある隙間部分には必要である。
【００８２】
このようにして、本実施の形態では、図１０の斜視図に示すように、踏段を有しないエスカレーター１０は、その周囲を、昇降方向に沿って略角形筒状に遮熱性ガラス３０ａで囲まれた防火区画２０内に設けられることとなる。
【００８３】
一方、踏段を有しないエスカレーター１０の乗降口となる前後端側にも、図９、１０に示すように、踏段を有しないエスカレーター１０の傾斜部分を囲む防火区画２０がそのまま延長されて、例えば人溜まり用などに使用できる小空間２０ａが設けられている。
【００８４】
踏段を有しないエスカレーター１０を囲む防火区画２０の一部として構成される上記小空間２０ａは、本実施の形態では、略箱型に形成されている。小空間２０ａの踏段を有しないエスカレーター１０の乗降口に対面する正面側には、開閉部材５０として防火扉５０ａが設けられている。
【００８５】
防火区画２０に連続してかかる小空間２０ａを設けることにより、多数の避難者が防火区画２０内に逃げ込み、踏段を有しないエスカレーター１０の乗降口に集まっても、安全に乗り込み待ちを行うことができる。さらには、かかる小空間２０ａを設けておけば、万が一の事態に備えての酸素ボンベや、応急処置品などの備品を備えるスペースとして使用することもできる。さらには、防火区画２０用の空調装置の設置箇所としても使用することができる。
【００８６】
しかし、スペース的に十分な余裕がとれない場合などでは、かかる小空間２０ａを設けない構成も考えられる。図１１に示すように、踏段を有しないエスカレータ１０部分のみを実質的に防火区画２０で囲うようにして、乗降口側の小空間２０ａを省く構成にしてもよい。
【００８７】
一方、小空間２０ａの内部を、図１２に示すように、防火仕切壁２１により２つの小空間２０ａａ、２０ａｂに分けるように構成しても構わない。防火仕切壁２１には、防火扉５０ｂ（５０）を設けておく。
【００８８】
このように防火仕切壁２１を設けた構成では、避難者は、防火扉５０ｃ（５０）、５０ｄ（５０）を通って小空間２０ａａに逃げ込む。この小空間２０ａａから、防火仕切壁２１の防火扉５０ｂを通って小空間２０ａｂに入り、そのまま踏段を有しないエスカレーター１０で避難することとなる。
【００８９】
防火区画２０の直近の周囲空間に火災が発生すると、避難者は防火扉５０ｃ、５０ｄを通って小空間２０ａａに逃げ込むこととなるが、小空間２０ａａに逃げ込む際には、防火扉５０ｃ、５０ｄが避難者が小空間２０ａａに入る度に頻繁に開閉されることとなり、煙りなどが多少流れ込む可能性がある。しかし、防火仕切壁２１があるため、小空間２０ａｂへの直接の煙りの流れ込みを遮断することができる。このようにして、実質的に避難に支障を来さないように煙りの流れ込みを遮断しながら、踏段を有しないエスカレーター１０を利用して安全に避難することができる。
【００９０】
また、上記防火仕切壁２１を設けておけば、火災状況が甚だしくなり踏段を有しないエスカレーター１０を使用しての避難を放棄すべき事態に至った場合でも、かかる防火区画２０が上下階に通ずる炎道とならないようにして、上下階への防火区画２０内を介した延焼を極力防ぐことができる。
【００９１】
火災時には、熱上昇気流が発生して、往々にして建物内のパイプシャフトなどの貫通空間を、熱風や炎などが急上昇する炎道となり易いことが知られている。
【００９２】
そこで、避難路として設けた上記構成の踏段を有しないエスカレーター１０を囲む防火区画２０が、火災中に放置された状態でも、極力炎道とならないように予め施策しておくことは、火災規模を最小限度に止めるのに必要なことである。防火仕切壁２１は、踏段を有しないエスカレーター１０の周囲を囲む防火区画２０が連絡階への延焼を助ける炎道となることを防止するのに役立つ。
【００９３】
なお、かかる防火仕切壁２１と同様の構成を、前記実施の形態１の防火区画１内に設けても構わない。踏段を有しないエスカレータ１０の乗降側にフロア面Ｂから天井面Ｃまで設けておけばよい。
【００９４】
本実施の形態では、図９に示す防火扉５０ａ、あるいは図１２に示す防火扉５０ｂ、５０ｃ、５０ｄは、前記実施の形態１と同様に、自動扉に形成し、さらに同様の構成の遮熱性ガラス３０ａで構成しておけばよい。
【００９５】
また、本実施の形態の防火扉５０ａなどは、平常時には踏段を有しないエスカレーター１０への通行が円滑に行えるように、自動開閉制御を解除させておき、火災時に自動開閉制御に戻れるように構成しておけばよい。
【００９６】
また、開閉部材５０は、例えば図１３に示すように、シャッター形式の防火扉５０ｅに構成しても構わない。
【００９７】
かかるシャッター形式に構成する場合には、図１３に示すように、細長い短冊状に形成した遮熱性ガラス３０ｃ（３０）を防火枠６０に嵌め、その防火枠６０同士を屈曲可能に連接して、降ろしたりあるいは上げたりできるようにしたシャッターに構成しておけばよい。
【００９８】
互いに連接した防火枠６０の両端側をガイド６１に案内させて、小空間２０ａの天井側に設けた開閉装置６２で、防火枠６０を引き上げたり、あるいは降ろしたりすることができるように構成しておけばよい。
【００９９】
図１３（ａ）では、防火扉５０ｅを上げている平常時の状態を示した。小空間２０ａの天井側のガイド６１に案内させて、互いに屈曲可能に連接された防火枠６０が、天井側に引き上げられている。
【０１００】
一方、火災時には、避難者が小空間２０ａに逃げ込んだ時点で、開閉装置６２を駆動させて防火扉５０ｅを降ろしておけばよい。防火扉５０ｅは、遮熱性ガラス３０ｃを防火枠６０に嵌め込んで、防火枠６０同士が屈曲可能に互いに連接した状態に構成されているので、火災時でも遮熱性ガラス３０ｃを通して周囲空間の状況を把握することができる。
【０１０１】
このように防火扉５０ｅは、シャッター形式に構成されているので、平常時には、小空間２０ａを周囲空間に対して開放状態にしておき、煩わしさを感じさせることなく防火区画２０で囲まれた踏段を有しないエスカレーター１０を平常時の通路Ａとして使用させることができる。
【０１０２】
また、上記説明では、踏段を有しないエスカレーター１０の踏板１１が平面状に連接する通行面１２が、各階を連絡する傾斜部分にのみ設けられた構成を示したが、図１４（ａ）に示すように、踏段を有しないエスカレーター１０の前後側の各階のフロア面Ｂの平坦面に沿った部分側にも、通行面１２が連続するように構成しても構わない。
【０１０３】
また、かかる踏段を有しないエスカレーター１０は、図１４（ｂ）に示すように、防火区画２０内で、左右に２列設けられ、一方が上り、他方が下りに構成されている。
【０１０４】
さらに、図１４に示す防火区画２０は、図９に比べて、支柱４０の間隔を大きくして、視界を遮るものを極力少なくして、平常時の通路として使用時に違和感なく、開放的な雰囲気のなかで使用できるように構成されている。
【０１０５】
また、図１５には、上記構成の防火区画２０に囲まれた踏段を有しないエスカレータ１０を、建物の各階に交互に掛け渡した状況を部分的に示した。かかる複数台の踏段を有しないエスカレーター１０の周囲を囲む防火区画２０は、それぞれ互いに連通させられ、防火区画２０から周囲空間へ出ることなく、所望階まで踏段を有しないエスカレーター１０で避難することができるようになっている。
【０１０６】
このように防火区画２０の延長距離が長くなる場合には、平常時でも周囲空間からの空調効果が及ばなくなる可能性が高いため、必要に応じて、防火区画２０用の空調装置を、周囲空間の空調装置とは別途設けておけばよい。かかる構成の防火区画２０用の空調装置は、例えばダクト配管などを周囲空間用の空調ダクト配管などと別途に構成しておくことにより、火災時などの防火区画２０内の避難時に必要な新鮮な空気の確保が行える。
【０１０７】
また、かかる空調装置の吹出口などは、防火区画２０内、特に小空間２０ａ内に設けるようにすればよい。
【０１０８】
さらに、踏段を有しないエスカレーター１０の乗降口側となる各階のフロア面Ｂ側には、防火区画２０の一部として小空間２０ａが前記説明の要領で設けられ、各階のそれぞれの小空間２０ａに、防火区画２０内への避難ができるように防火扉５０ａが設けられている。
【０１０９】
なお、図１５では、防火区画２０が踏段を有しないエスカレーター１０の設置方向に沿って連続的に設けられた様子が分かるように、支柱４０や梁４１などの図示は省略している。
【０１１０】
また、防火区画２０は、現場組立でも構わないし、あるいは、踏段を有しないエスカレーター１０の吊り上げ搬入に支障がない範囲で、当初より踏段を有しないエスカレーター１０に全面先行取付け、あるいは部分先行取付けをしておいても構わない。
【０１１１】
また、防火区画２０を施工距離が短い小空間として構成する場合には、遮熱性ガラス３０ａを筒状に一体成形して、その中に小型の踏段を有しないエスカレーター１０を通して設置するようにしても一向に構わない。このように構成しておけば、遮熱性ガラス３０ａと他の部材との接合部分を少なくすることができ、その分避難に支障を来す煙りなどの入り込みを防止し易い。
【０１１２】
また、上記説明では、防火区画２０は、踏段を有しないエスカレーター１０に沿って略断面角形筒状に形成された様子を示したが、例えば、天井側を軽いアーチを描くように湾曲させておき、天井が低い感じなどの圧迫感を感じることなく、平常時に一般の通路Ａとして使用できるようにしておいても構わない。
【０１１３】
また、上記説明では、遮熱性ガラス３０ａを踏段を有しないエスカレーター１０の両側、天井側に使用した構成について説明したが、平常時の使用状態に特段の配慮をせずに、防火避難経路の構成にのみ配慮すればよい場合には、不透明な耐火材料、不燃材料、難燃材料などを使用しても構わない。
【０１１４】
また、不透明部材と遮熱性ガラス３０ａなどのような透明な防火部材３０とを併用するようにしても構わない。例えば、不透明防火部材の壁に、遮熱性ガラス３０ａを使用した窓を設けるなどの構成も考えられる。
【０１１５】
かかる不透明な防火部材の使用に関しては、前記実施の形態１、２あるいは後記する実施の形態４〜６でも必要に応じて適用できるものである。
【０１１６】
（実施の形態４）
本実施の形態では、前記実施の形態３で説明した防火区画２０に囲まれた踏段を有しないエスカレーター１０を、建物の外壁の内面に沿って設けるようにした通路Ａについて説明する。
【０１１７】
本実施の形態では、例えば、図１６の平面見取り図に示すように、建物のフロア７０の中央側に吹き抜け７１が設けられている。吹き抜け７１の建物の外壁７２の内側壁面に沿って、上下階の連絡用に踏段を有しないエスカレーター１０が設けられている。外壁７２は、コンクリートなどの防火部材３０を使用した防火壁に構成しておけばよい。
【０１１８】
また、各階のフロア７０は、吹き抜け７１を除いた部分が、売場などの通常の使用空間として構成されている。フロア７０の隅の方には、従来構成の避難階段７３が設けられている。
【０１１９】
踏段を有しないエスカレーター１０は、図１７（ａ）、（ｂ）に示すように、側方の一方の側が建物の外壁７２の内側壁面に沿っており、他方の側が吹き抜け７１側に面して設けられている。吹き抜け７１側、及び上面側は、前記実施の形態３で示した要領で、遮熱性ガラス３０ａを使用して周囲空間と区画されている。また、踏段を有しないエスカレーター１０の下面側にはコンクリート板３０ｂが前記実施の形態３と同様にして設けられている。
【０１２０】
このようにして、全体として踏段を有しないエスカレーター１０の周囲が、遮熱性ガラス３０ａ、コンクリート板３０ｂ、および防火壁に構成された外壁７２の内側壁面とで囲まれて、踏段を有しないエスカレーター１０を避難路として安全に使用できるように防火区画２０が設けられている。
【０１２１】
さらに、防火区画２０の踏段を有しないエスカレーター１０の乗降口側は、上記実施の形態３と同様に、小空間２０ａが設けられ、この小空間２０ａに周囲空間からの出入り用に防火扉５０ａが設けられている。
【０１２２】
一方、踏段を有しないエスカレーター１０の側方の外壁７２には、踏段を有しないエスカレーター１０の途中位置に防火扉７４が設けられ、そこから建物外へ脱出できるようになっている。本実施の形態では、防火扉７４を開けると、外壁７２に外付けされたベランダ７５に出ることができるようになっている。かかるベランダ７５には、地上に通じる避難階段７６が設けられている。また、各階のベランダ７５は、かかる避難階段７６により上下が連絡されている。
【０１２３】
このようにして構成された踏段を有しないエスカレーター１０では、平常時には、大きな吹き抜け７１側から下方の例えばホールなどを見下ろしながら所望階まで、昇降することができる。
【０１２４】
一方、火災発生時には、防火区画２０に囲まれた踏段を有しないエスカレーター１０を避難路として使用すればよい。特に、本構成では、踏段を有しないエスカレータ１０の一方の側が、外壁７２内側壁面に沿っているため、この外壁７２に設けた防火扉７４を通して建物外のベランダ７５へ脱出することができる。
【０１２５】
防火扉７４を開けて建物外へ脱出するには、踏段を有しないエスカレーター１０の駆動をとめておけばよい。さらには、防火扉７４側へ移行できるように極めて低速で動かしておいても構わない。
【０１２６】
かかるベランダ７５で外部からの救助を待つことができる。さらには避難階段７６を降りて地上へ脱出することもできる。
【０１２７】
本実施の形態の踏段を有しないエスカレーター１０の構成では、外壁７２に沿った側には、手摺１３を設けずに、手摺１３は吹き抜け７１側の遮熱性ガラス３０ａ側にのみ設ければよい。
【０１２８】
あるいは、防火扉７４の間を開けて、前後に短い手摺１３を構成して、外壁７２の内側壁面に沿った側にも手摺１３を設けるようにしても構わない。
【０１２９】
また、本実施の形態の内壁面に沿って防火区画を設け、この内壁に防火扉を設けて建物外へ避難できる構成は、前記実施の形態１、２に適用しても構わない。
【０１３０】
（実施の形態５）
本実施の形態では、前記実施の形態３、４で説明した防火区画２０を平常時には、開放空間としておき、避難時にのみ閉鎖空間として周囲空間から区画できるように構成した通路Ａについて説明する。
【０１３１】
かかる構成とすることにより、透明ガラスであっても、周囲を囲われることによって感じる圧迫感をなくして、平常時でも違和感なく通路Ａとして使用できるようになっている。
【０１３２】
また、固定式の閉鎖空間に構成すると、周囲の空調の効果が閉鎖空間内に及びにくく、そのため防火区画２０用の特別の空調設備を必要とする場合も発生するが、平常時には防火区画２０を周囲空間へ開放させておければ、かかる防火区画２０用の特別な空調設備は設けなくても済む。
【０１３３】
図１８には、天井側の遮熱性ガラス３０ａがスライド式に設けられており、天井側を平常時には開放できるようになっている構成を示した。支柱４０の上端間に渡す梁４１をガイドに構成しておき、遮熱性ガラス３０ａを嵌め込んだ枠の両側をこのガイドに案内させてスライドできるようにしておけばよい。
【０１３４】
本実施の形態では、天井側の遮熱性ガラス３０ａは、踏段を有しないエスカレータ１０の長手方向に沿って、図１８（ａ）に示すように、略２分された大きさに形成されて枠内に嵌め込まれている。
【０１３５】
遮熱性ガラス３０ａｂ（３０ａ）側は、図１８（ｂ）に示すように、防火区画２０の傾斜上方側に固定され、遮熱性ガラス３０ａａ側を、スライドさせることができるようになっている。スライド手段（図示せず）としては、例えば遮熱性ガラス３０ａａ側の先端に取り付けたワイヤを巻上装置で巻き上げるようにするなどすればよい。
【０１３６】
平常時には、一方の遮熱性ガラス３０ａａを、他方の遮熱性ガラス３０ａｂの内側にスライド移動させて、重ねるようにして格納しておけば、防火区画２０の天井の一部を開放状態にさせることができる。
【０１３７】
また、遮熱性ガラス３０ａａは傾斜上方側に格納させられているので、災害時には遮熱性ガラス３０ａａを自重で滑らせることにより速やかな閉鎖が行える。
【０１３８】
図１９では、側方側に設けた遮熱性ガラス３０ａが引き戸形式に設けられており、防火区画２０の側方側を平常には開放状態にできるようになっている。
【０１３９】
特に防火区画２０の傾斜部分に設けた引き戸形式の遮熱性ガラス３０ａは、本実施の形態では、３枚引き戸形式に構成されている。図１９（ａ）に示すように、３枚引き戸形式に構成された遮熱性ガラス３０ａは、それぞれ遮熱性ガラス３０ａｃ、３０ａｄ、３０ａｅから構成され、遮熱性ガラス３０ａｅは、防火区画２０の傾斜部分の上方側に固定されている。
【０１４０】
遮熱性ガラス３０ａｃ、３０ａｄを、図１９（ｂ）に示すように、遮熱性ガラス３０ａｅ側に、ガイドＧ１、Ｇ２に沿って移動させて、格納できるように構成されている。平常時には、このように遮熱性ガラス３０ａｃ、３０ａｄ、３０ａｅを３枚重ねた状態に格納してロックしておけば、防火区画２０の両側を周囲空間へ開放させることができる。
【０１４１】
また、火災などの非常時には、ロックを外せば、遮熱性ガラス３０ａｃ、３０ａｄはガイドＧ１、Ｇ２に案内されて斜面を下って側面側を速やかに囲うこととなる。ガイドＧ１、Ｇ２は、それぞれの敷設端まで遮熱性ガラス３０ａｃ、３０ａｄが滑り降りた状態で、防火区画２０を周囲空間と区画できる位置に設定されている。
【０１４２】
このようにして、ガイドＧ１、Ｇ２に沿って、止まる位置まで遮熱性ガラス３０ａｃ、３０ａｄを滑らせれば、自ずから防火区画２０の側面側の構成ができるようになっている。また、防火区画２０の側方側を開放状態にするため、遮熱性ガラス３０ａｃ、３０ａｄを引き上げるためには、例えばワイヤの先端をそれぞれの遮熱性ガラス３０ａｃ、３０ａｄに取付け、このワイヤを巻上装置で巻き上げるなどの手段を使用すればよい。
【０１４３】
あるいは、防災センタ側からの遠隔操作で始動停止ができるモータ駆動の滑車で遮熱性ガラス３０ａｃ、３０ａｄを動くように構成しておいても構わない。
【０１４４】
また、このように引き戸形式にして平常時には開放できるようにする構成は、前記実施の形態１、２に適用することもできる。
【０１４５】
また、図２０に示すように、天井側の遮熱性ガラス３０ａを短冊状に形成して、これを小枠内に嵌め込み、この枠を屈曲可能に連結して蛇腹状に畳むことができるように構成しておいても構わない。
【０１４６】
また、図２１に示すように、天井側の遮熱性ガラス３０ａを大きく２分して、その各々をさらに２分して、それぞれを枠内に嵌め込み、この枠同士を屈曲可能に連接する構成としても構わない。このように構成すれば、図２１に示すように、防火区画２０の傾斜部分の天井側の遮蔽ガラス３０ａの枠同士を屈曲させて、周囲空間と連通するように開放させることができる。
【０１４７】
図２０、２１のいずれの構成でも、防火区画２０の天井側の遮熱性ガラス３０ａを、平常時には周囲空間と連通できるように開放させ、避難時には周囲空間と区画するように閉じることができる。
【０１４８】
また、前記実施の形態３〜５では、踏段を有しないエスカレーター１０には、パレット型の構成のものを使用した場合を示したが、ベルト型の構成でも構わない。
【０１４９】
また、前記実施の形態３、４では、踏段を有しないエスカレーター１０を防火区画２０で囲んだ構成について説明したが、図２２に示すように、従来より上下階の連絡用に使用されている踏段を有するエスカレーター２１０（以下、簡単にエスカレーター２１０という。）の周囲を防火区画２２０で囲むようにしても構わない。
【０１５０】
かかる防火区画２２０も、前記実施の形態１と同様に、エスカレーター２１０の下方に設けた防火部材２３０から両側に支柱２４０を所定間隔で立設し、支柱２４０間に梁２４１を掛け渡しておく。支柱２４０と梁２４１、コンクリート板２３０ａとから形成された枠内に、遮熱性ガラス２３０ｂを嵌め込んでおけばよい。
【０１５１】
また、防火区画２２０は、エスカレーター２１０の前後の乗降口側にも小空間２２０ａが形成できるように、各階のフロア側に伸ばして設けておけばよい。
【０１５２】
このように形成することにより、従来構成のエスカレーター２１０を通常は上下階を連絡する通路Ａとして使用する一方で、火災などの災害発生時には、避難路として使用できるように構成することができる。
【０１５３】
（実施の形態６）
本実施の形態では、前記実施の形態３で説明した防火区画２０に囲まれた踏段を有しないエスカレーター１０を、大型客船などの船３００の船倉内の各階を連絡する通路Ａとして使用した場合について説明する。
【０１５４】
本実施の形態では、図２３に示すように、船倉内が上下に複数階に構成されている。客室や、ロビー、娯楽室など種々の施設を船倉内の各階に設けた構成で、各階は踏段を有しないエスカレーター１０を上下を連絡する通路Ａとして使用されている。
【０１５５】
最下階３１０から上甲板３２０まで踏段を有しないエスカレーター１０で連絡しておく。踏段を有しないエスカレーター１０は、その周囲が遮熱性ガラス３０ａで囲われて防火区画２０に構成されている。周囲空間から防火区画２０内へは、前記実施の形態３と同様に、防火扉（図示せず）を通して出入りできるように構成しておけばよい。
【０１５６】
平常時には、船倉内の上下階の行き来をする通路Ａとして踏段を有しないエスカレータ１０を使用すればよい。また、船内で火災などが発生した場合には、かかる周囲空間から避難に支障来す煙りや、炎などが入り込まないように構成された防火区画２０に保護されながら、踏段を有しないエスカレーター１０を使用して、速やかに上甲板３２０に避難することができる。
【０１５７】
特に、船内火災は、船内が建築物などに比べて狭い空間となりがちなため、煙りが立ち込め易く、煙りに巻かれて避難しにくくなる可能性が高く、本発明の通路形成は有効である。
【０１５８】
また、前記実施の形態１と同様に、船倉内に各階を上下に通す吹き抜け状の防火区画を形成して、この防火区画内に踏段を有しないエスカレータ１０を上下階の連絡用に設けても構わない。
【０１５９】
本実施の形態では、船舶について適用した場合について説明したが、船舶以外の乗物に適用しても構わない。
【０１６０】
また、上記実施の形態１〜６では、踏段を有しないエスカレーター１０、動く歩道Ｄ、踏段を有する通常構成のエスカレーター２１０を使用した通路Ａについて説明したが、かかる移動装置を使用しない構成の避難階段や平坦通路を上記説明の防火区画２０で囲むように構成しても構わない。
【０１６１】
また、人間の往来用の通路のみならず、車両専用通路を防火区画で囲むように構成することも考えられる。
【０１６２】
また、上記実施の形態１〜６では、踏段を有しないエスカレーター１０、動く歩道Ｄなどを、平常時には一般の通行用の通路として使用し、火災時などには避難路として使用できるように構成した場合について説明したが、平常の一般の通行を目的としてない避難路としての専用目的に使用するようにしても構わない。
【０１６３】
以上、本発明者によってなされた発明を実施の形態に基づき具体的に説明したが、本発明は前記の形態に限定されるものではなく、その要旨を逸脱しない範囲で種々変更可能であることはいうまでもない。
【０１６４】
【発明の効果】
本願において開示される発明のうち、代表的なものによって得られる効果を簡単に説明すれば、以下のとおりである。
【０１６５】
（１）．本発明では、通行路を防火区画の中に設けることにより、普段から通りなれている通路を、避難路としても使用することができる。そのため、通路の行き先や、通り抜け方向がよく分かっているので、避難時に慌てずに、落ちついた避難ができる。
【０１６６】
（２）．本発明では、通行路を遮熱性ガラスなどの周囲を見通せる透明な防火部材を使用して構成した防火区画の中に設けることにより、普段から通りなれている通路を、周囲の状況を防火区画のなかから把握しながら避難路として使用することができる。そのため、周囲の火災状況の把握を行いながら、例えば避難方向を判断するなど、状況に応じたに適切な避難行動をとることができる。
【０１６７】
（３）．本発明では、踏段を有しないエスカレーター（動く歩道）を平常時には一般通行用の通路として使用し、火災時などには避難路としても使用することができるので、避難階段や、踏段を有する従来構成のエスカレーターを使用する場合に比べて、段差のない避難路面を確保できる。そのため、段差部分での歩行がままならず避難時には往々にして逃げ後れがちになる老人、小児、身体障害者、車椅子などの介助機材使用者の避難をより効果的に確保することができる。
【０１６８】
（４）．本発明では、遮熱性ガラスを防火部材として使用して、踏段を有しないエスカレーター（動く歩道）の周囲を囲んで防火区画を構成するので、避難時には周囲空間の状況を把握しながら適切な避難行動をとることができる。
【０１６９】
（５）．本発明では、上下階を通す吹き抜け状に防火区画を形成して、この防火区画内に踏段を有しないエスカレーターを設けることができるので、踏段を有しないエスカレーターの個々に防火区画を設ける場合に比べて、施工費を低く抑えることができる。
【０１７０】
（６）．本発明では、防火区画を構成する遮熱性ガラスを平常時には、周囲空間と連通できる開放状態にすることができるため、平常時の防火区画内に周囲空間の空調効果が及び、特別に防火区画用の空調装置が要らない。
【図面の簡単な説明】
【図１】（ａ）は、本発明の一実施の形態の防火区画内に踏段を有しないエスカレーターを設けた構成を示す断面説明図である。（ｂ）は、（ａ）の踏段を有しないエスカレータの平面図である。
【図２】（ａ）、（ｂ）は、遮熱性ガラスの断面図である。
【図３】一実施の形態の各階部分における防火区画の構成を示す断面説明図である。
【図４】（ａ）、（ｂ）は、一実施の形態の防火区画の最上端側での構成を示す断面説明図である。
【図５】（ａ）は、パレット型の踏段を有しないエスカレーターの構成を示す断面図である。（ｂ）は、ベルト型の踏段を有しないエスカレーターの構成を示す断面図である。
【図６】パレット型の踏段を有しないエスカレーターの乗降側を示す斜視図である。
【図７】（ａ）は、防火区画で囲まれた踏段を有しないエスカレーター（動く歩道）を示す平面図である。（ｂ）は、（ａ）の動く歩道を示す一部断面の説明図である。
【図８】（ａ）は、動く歩道の変形例を示す平面図である。（ｂ）は、（ａ）の動く歩道を示す一部断面の説明図である。
【図９】（ａ）は、本発明の一実施の形態である防火区画で囲まれた踏段を有しないエスカレータで構成する通路を示す一部断面の説明図である。（ｂ）は、（ａ）に示した通路の平面図である。
【図１０】図９に示す通路の踏段を有しないエスカレーターを囲む防火区画の様子を示す斜視図である。
【図１１】本実施の形態の通路で、防火区画を踏段を有しないエスカレーターの傾斜部分にのみ構成した様子を示す一部断面の説明図である。
【図１２】小空間を防火仕切壁で仕切った状態を示す平面図である。
【図１３】（ａ）は、シャッター形式に構成した防火扉を開けた状態を示す斜視図である。（ｂ）は、（ａ）の防火扉を閉めた状態を示す斜視図である。
【図１４】（ａ）は、踏段を有しないエスカレーターの変形例を使用した通路示す一部断面の説明図である。（ｂ）は、（ａ）の通路の平面図である。
【図１５】防火区画に囲まれた踏段を有しないエスカレーターからなる通路を、上下の各階を連絡するように構成した状況を示す一部断面で示す説明図である。
【図１６】防火区画の構成の変形例を示す平面見取り図である。
【図１７】（ａ）は、図１６で示す変形例に使用され防火区画に囲まれた踏段を有しないエスカレーターの設置状況を示す平面図である。（ｂ）は、（ａ）の踏段を有しないエスカレーターの設置状況を示す斜視図である。
【図１８】（ａ）は、天井側の遮熱性ガラスを開閉可能に構成した防火区画の閉じ状態を示す一部断面の説明図である。（ｂ）は、（ａ）の構成の防火区画で遮熱性ガラスを開けた状態を示す一部断面の説明図である。
【図１９】（ａ）は、側方側の遮熱性ガラスを開閉可能に構成した防火区画の閉じ状態を示す平面図である。（ｂ）は、（ａ）の構成の防火区画を開けた状態を示す平面図である。
【図２０】天井側の遮熱性ガラスを開閉できるように構成した防火区画の変形例を示す一部断面の説明図である。
【図２１】天井側の遮熱性ガラスを開閉できるように構成した防火区画の変形例を示す一部断面の説明図である。
【図２２】エスカレーターの周囲を防火区画で囲って避難路としても使用できるように構成した通路を示す一部断面の説明図である。
【図２３】防火区画で囲んだ踏段を有しないエスカレーターを使用した通路を、船内に設けた様子を示す一部断面の説明図である。
【符号の説明】
１        防火区画
２        防火部材
２ａ      遮熱性ガラス
３        周囲空間
４ａ      支柱
４ｂ      梁
５        開閉部材
５ａ      防火扉
１０      踏段を有しないエスカレーター
１１      踏板
１２      通行面
１３      手摺
１４      ランディングプレート
１５      チェーン
１６      駆動機
１７      鎖車
１８ａ    無端ベルト
１８ｂ    駆動機
１８ｃ    回転ローラー
１８ｄ    ローラー
２０      防火区画
２０ａ    小空間
２０ａａ  小空間
２０ａｂ  小空間
３０      防火部材
３０ａ    遮熱性ガラス
３０ｂ    コンクリート板
３０ｃ    遮熱性ガラス
３０ａａ  遮熱性ガラス
３０ａｂ  遮熱性ガラス
３０ａｃ  遮熱性ガラス
３０ａｄ  遮熱性ガラス
３０ａｅ  遮熱性ガラス
４０      支柱
４１      梁
５０      開閉部材
５０ａ    防火扉
５０ｂ    防火扉
５０ｃ    防火扉
５０ｄ    防火扉
５０ｅ    防火扉
６０      防火枠
６１      ガイド
６２      開閉装置
７０      フロア
７１      吹き抜け
７２      外壁
７３      避難階段
７４      防火扉
７５      ベランダ
７６      避難階段
２１０    エスカレーター
２２０    防火区画
２２０ａ  小空間
２３０    防火部材
２３０ａ  コンクリート板
２３０ｂ  遮熱性ガラス
２４０    支柱
２４１    梁
３００    船
３１０    最下階
３２０    上甲板
ａ        ガラス
ｂ        熱発泡性物質
Ａ        通路
Ｂ        フロア面
Ｂ’      床面
Ｃ        天井面
Ｄ        動く歩道
【図１】
0004010619.tif 000002
【図２】
0004010619.tif 000003
【図３】
0004010619.tif 000004
【図４】
0004010619.tif 000005
【図５】
0004010619.tif 000006
【図６】
0004010619.tif 000007
【図７】
0004010619.tif 000008
【図８】
0004010619.tif 000009
【図９】
0004010619.tif 000010
【図１０】
0004010619.tif 000011
【図１１】
0004010619.tif 000012
【図１２】
0004010619.tif 000013
【図１３】
0004010619.tif 000014
【図１４】
0004010619.tif 000015
【図１５】
0004010619.tif 000016
【図１６】
0004010619.tif 000017
【図１７】
0004010619.tif 000018
【図１８】
0004010619.tif 000019
【図１９】
0004010619.tif 000020
【図２０】
0004010619.tif 000021
【図２１】
0004010619.tif 000022
【図２２】
0004010619.tif 000023
【図２３】
0004010619.tif 000024